(57)【特許請求の範囲】
【請求項１】
着脱可能なバックアップ電源と；
外部電源によりバックアップ電源をトリクル充電するとともに、このトリクル充電の後、外部電源によりバックアップ電源をパルス充電する充電回路と；
外部電源の停電時にバックアップ電源によって光源を点灯させる非常時点灯回路と；
充電回路がバックアップ電源をトリクル充電しているときには電流を検出することによりバックアップ電源の装着と非装着とを判断し、充電回路がバックアップ電源をパルス充電しているときにはバックアップ電源の電圧を検出することによりバックアップ電源の装着と非装着とを判断する着脱判別回路と；
を具備し、
充電回路は、バックアップ電源をパルス充電しているときにバックアップ電源が非装着であると着脱判別回路が判断すると、バックアップ電源を充電する動作と同じ動作をし、
着脱判別回路は、この充電回路の動作のときに電流を検出することによりバックアップ電源の装着と非装着とをさらに判断する
ことを特徴とする非常用点灯装置。
【請求項２】
着脱判別回路は、充電回路がバックアップ電源をパルス充電しているときにバックアップ電源が非装着であると判断した後、電流を検出することによりバックアップ電源が非装着であるとさらに判断すると、バックアップ電源が非装着であることを確定する
ことを特徴とする請求項１記載の非常用点灯装置。
【請求項３】
着脱判別回路は、バックアップ電源が非装着であることを確定した後、電流を検出することによりバックアップ電源の再装着を判断する
ことを特徴とする請求項２記載の非常用点灯装置。
【請求項４】
充電回路は、バックアップ電源が再装着されたと着脱判別回路により判断したときに外部電源によりバックアップ電源をトリクル充電する
ことを特徴とする請求項３記載の非常用点灯装置。
【発明の詳細な説明】
【技術分野】
【０００１】
本発明の実施形態は、外部電源によりバックアップ電源を充電する非常用点灯装置に関する。
【背景技術】
【０００２】
従来、商用交流電源などの外部電源(商用電源)によって光源を点灯させる常時点灯回路と、外部電源の停電時にバッテリなどのバックアップ電源によって光源を点灯させる非常時点灯回路とを備えた非常用点灯装置がある。そして、このような非常用点灯装置は、外部電源を監視し、この外部電源の停電を検出したときには、光源に対して常時点灯回路から非常時点灯回路へと接続を切り換えることにより、外部電源の停電などの非常時の光源の点灯を可能としている。
【０００３】
このような非常時点灯回路に用いるバックアップ電源は、非停電時に外部電源を用いて充電回路により充電されている。このようなバックアップ電源の充電として、所定の定電流で連続的に充電する、いわゆるトリクル充電が行われる。
【先行技術文献】
【特許文献】
【０００４】
【特許文献１】特許第４４５９９９５号公報
【特許文献２】特許第４４５９９９６号公報
【発明の概要】
【発明が解決しようとする課題】
【０００５】
トリクル充電をしている間は、このトリクル充電に用いる充電電流を監視することにより、バックアップ電源が非装着となっていないか、すなわち外れていないかどうかを判別できる。
【０００６】
一方で、バックアップ電源の負荷をより低減するために、バックアップ電源に対してパルス状(間欠的)に電流を供給するパルス充電をする場合、充電電流を供給しない充電停止期間が存在するため、充電電流を監視することでバックアップ電源の装着状態を判別することが容易でないという問題がある。
【０００７】
本発明が解決しようとする課題は、バックアップ電源の装着と非装着とをより確実に判別できる非常用点灯装置を提供することである。
【課題を解決するための手段】
【０００８】
実施形態の非常用点灯装置は、着脱可能なバックアップ電源を有する。また、この非常用点灯装置は、外部電源によりバックアップ電源をトリクル充電するとともに、このトリクル充電の後、外部電源によりバックアップ電源をパルス充電する充電回路を有する。さらに、この非常用点灯装置は、外部電源の停電時にバックアップ電源によって光源を点灯させる非常時点灯回路を有する。また、この非常用点灯装置は、バックアップ電源の装着と非装着とを判断する着脱判別回路を有する。この着脱判別回路は、充電回路がバックアップ電源をトリクル充電しているときには電流を検出することによりバックアップ電源の装着と非装着とを判断する。また、この着脱判別回路は、充電回路がバックアップ電源をパルス充電しているときにはバックアップ電源の電圧を検出することによりバックアップ電源の装着と非装着とを判断する。さらに、充電回路は、バックアップ電源をパルス充電しているときにバックアップ電源が非装着であると着脱判別回路が判断すると、バックアップ電源を充電する動作と同じ動作をする。また、着脱判別回路は、この充電回路の動作のときに電流を検出することによりバックアップ電源の装着と非装着とをさらに判断する。
【発明の効果】
【０００９】
本発明によれば、充電回路がバックアップ電源をトリクル充電しているときには電流を検出することによりバックアップ電源の装着と非装着とを判断し、充電回路がバックアップ電源をパルス充電しているときにはバックアップ電源の電圧を検出することによりバックアップ電源の装着と非装着とを判断することで、パルス充電の充電停止期間であってもバックアップ電源の装着と非装着とを判別できる。また、バックアップ電源をパルス充電しているときにバックアップ電源が非装着であると着脱判別回路が判断すると、充電回路がバックアップ電源を充電する動作と同じ動作をし、この動作のときに着脱判別回路が電流を検出することによりバックアップ電源の装着と非装着とをさらに判断する。したがって、バックアップ電源の装着と非装着とをより確実に判別できる。
【図面の簡単な説明】
【００１０】
【図１】一実施形態の非常用点灯装置を示すブロック図である。
【図２】同上非常用点灯装置のバックアップ電源の充電制御を示すフローチャートである。
【図３】同上非常用点灯装置のバックアップ電源の充電制御例を(a)及び(b)に示す説明図である。
【図４】同上非常用点灯装置のバックアップ電源の装着と非装着との判断の制御フローを示すフローチャートである。
【発明を実施するための形態】
【００１１】
以下、一実施形態の構成を、図面を参照して説明する。
【００１２】
図１において、11は非常用点灯装置であり、この非常用点灯装置11は、誘導灯、あるいは非常灯などの非常用器具に用いられるものである。
【００１３】
そして、この非常用点灯装置11には、光源としてのＬＥＤ光源12が取り付けられており、このＬＥＤ光源12を商用交流電源(商用電源)などの外部電源ｅの非停電時に点灯させる常時点灯回路としての図示しないＬＥＤ電源ユニットと、バックアップ電源であるバッテリＢと、ＬＥＤ光源12を外部電源ｅの停電時に点灯させる非常用回路としての非常灯ユニット14とが備えられている。
【００１４】
ＬＥＤ光源12は、複数のＬＥＤ16を直列に接続して構成されている。なお、光源としては、例えば有機ＥＬ、あるいは無機ＥＬなどでもよい。
【００１５】
また、バッテリＢは、複数の直流電源を直列に接続したバッテリパックであり、外部電源ｅの停電時に、ＬＥＤ光源12(ＬＥＤ16)を所定の光束で所定の時間以上点灯状態を維持できる容量を有している。さらに、このバッテリＢは、非常灯ユニット14に対して着脱可能となっている。
【００１６】
また、ＬＥＤ電源ユニットは、外部電源ｅの非停電時にこの外部電源ｅによってＬＥＤ光源12(ＬＥＤ16)を点灯させるものである。そして、このＬＥＤ電源ユニットは、外部電源ｅによってＬＥＤ光源12(ＬＥＤ16)を所定の光束で点灯させることができれば、任意の回路構成とすることができるが、例えば図示しない点灯制御回路により制御され、ＬＥＤ光源12(ＬＥＤ16)を点灯させるための定電流を出力するように構成されている。
【００１７】
また、非常灯ユニット14は、外部電源ｅと電気的に接続されバッテリＢを充電する充電回路21と、外部電源ｅを監視する図示しない電源監視回路と、ＬＥＤ光源12を点灯させる非常時点灯回路23と、バッテリＢの装着と非装着とを判断、すなわちバッテリＢの装着の有無を判断する着脱判別回路24とを備えている。
【００１８】
充電回路21は、外部電源ｅによりバッテリＢを充電するように構成されており、図示しないが、入力側に例えば外部電源ｅ側からのノイズを除去するフィルタ回路(雑防回路)、外部電源ｅを(全波)整流する整流回路、平滑する平滑回路などを備えている。そして、この充電回路21は、制御手段としてのマイコン31と、このマイコン31によりスイッチングが制御されるスイッチング素子32とを備えた充電制御回路33により動作が制御される。
【００１９】
マイコン31は、図示しない演算部、カウンタ及びメモリなどにより構成されている。また、このマイコン31には、スイッチング素子32と電気的に接続された充電制御ポート31aが設けられている。そして、このマイコン31は、充電制御ポート31aから出力をＨレベルとＬレベルとで切り換えることによってスイッチング素子32のオンとオフとを切り換えることで、バッテリＢへの充電電流(充電電圧)の供給のオンとオフとを切り換え、充電回路21によりバッテリＢを連続充電するトリクル充電と、バッテリＢを間欠充電するパルス充電との、少なくとも２つの充電モードを切り換え可能である。
【００２０】
トリクル充電モードでは、マイコン31は、充電制御ポート31aからＨレベル出力してスイッチング素子32をオンした状態を維持することにより、所定の一定の充電電流を充電回路21からバッテリＢに連続的に供給してバッテリＢを充電する。
【００２１】
また、パルス充電モードでは、マイコン31は、充電制御ポート31aからＨレベル出力してスイッチング素子32を第１所定時間(例えば１秒)オンするとともに、この第１所定時間よりも長い第２所定時間(例えば５９秒)、充電制御ポート31aからＬレベル出力してスイッチング素子32をオフする動作を繰り返すことで、所定の充電電流を充電回路21からバッテリＢに間欠的に供給してバッテリＢを充電する。
【００２２】
また、電源監視回路は、外部電源ｅの停電と非停電とを監視しており、外部電源ｅが非停電の状態では、ＬＥＤ光源12に対してＬＥＤ電源ユニットを電気的に接続し、外部電源ｅが停電の状態では、ＬＥＤ光源12に対して非常灯ユニット14(非常時点灯回路23)を電気的に接続するように切り換える。すなわち、この電源監視回路は、外部電源ｅの非停電と停電とに対応して、ＬＥＤ電源ユニットと非常時点灯回路23とのいずれか一方を選択的にＬＥＤ光源12に対して電気的に接続するように構成されている。
【００２３】
また、非常時点灯回路23は、外部電源ｅの停電時にバッテリＢを電源としてＬＥＤ光源12(ＬＥＤ16)を点灯させるものである。そして、この非常時点灯回路23は、バッテリＢによってＬＥＤ光源12(ＬＥＤ16)を所定の光束で所定の時間以上点灯させることができれば、任意の回路構成とすることができるが、例えば点灯制御回路により制御され、ＬＥＤ光源12(ＬＥＤ16)を点灯させるための定電流を供給するように構成されている。
【００２４】
また、着脱判別回路24は、上記のマイコン31に加え、バッテリＢの充電電流を(間接的に)検出する電流検出回路35、及び、バッテリＢの電圧を(間接的に)検出する電圧検出回路36により構成されている。
【００２５】
マイコン31には、電流検出回路35と電気的に接続された電流監視ポート31bと電圧検出回路36と電気的に接続された電圧監視ポート31cとが設けられている。そして、このマイコン31は、電流検出回路35からの出力を電流監視ポート31bにより監視することで、電流検出回路35により充電電流が検出されたかどうかを判断可能である。また、このマイコン31は、電圧検出回路36からの出力を電圧監視ポート31cにより監視することで、電圧検出回路36によりバッテリＢの電圧が検出されたかどうかを判断可能である。
【００２６】
さらに、電流検出回路35は、スイッチング素子32のオンオフに対応して動作のオンオフが切り換えられる。すなわち、この電流検出回路35は、充電回路21の動作に対応してオンオフされる。したがって、電流検出回路35は、充電回路21がバッテリＢをトリクル充電しているときには常時動作し、バッテリＢをパルス充電しているときは充電電流が供給されている間のみ動作して充電休止期間中は動作しないように構成されている。
【００２７】
次に、上記一実施形態の動作を図２ないし図４も参照しながら説明する。
【００２８】
外部電源ｅが供給されている状態、すなわち非停電時には、外部電源ｅはＬＥＤ電源ユニット及び点灯制御回路に電源を供給し、点灯制御回路により動作制御されたＬＥＤ電源ユニットによりＬＥＤ光源12(ＬＥＤ16)に定電流を供給して、このＬＥＤ光源12(ＬＥＤ16)を所定の光束で点灯させる(通常点灯)。また、非常灯ユニット14では、外部電源ｅは高周波成分などのノイズが除去されるとともに整流され、コンデンサにより平滑されて充電回路21に供給され、この充電回路21がバッテリＢを充電する。
【００２９】
この充電の際には、まず、マイコン31が充電制御ポート31aからスイッチング素子32へとＨレベル出力を維持することにより、充電回路21が外部電源ｅによりトリクル充電を行う(ステップ１)。次いで、マイコン31は、バッテリＢが放電したかどうかを判断し(ステップ２)、バッテリＢが放電していないと判断した場合には、充電時間T1が所定の充電単位時間T1u(例えば１時間)に達したかどうか(充電時間T1が所定の充電単位時間T1u以上となったかどうか)を判断する(ステップ３)。そして、このステップ３において、充電時間T1が所定の充電単位時間T1uに達したとマイコン31が判断した場合には、このマイコン31は総充電時間ST1を充電単位時間T1u分積算し、充電時間T1をリセットする(ステップ４)。すなわち、総充電時間ST1は、充電単位時間T1u単位で積算される。また、ステップ３において、充電時間T1が所定の充電単位時間T1uに達していないとマイコン31が判断した場合には、ステップ１に戻る。そして、ステップ４の後、マイコン31は、総充電時間ST1が所定の切換時間TC(例えば４８時間)に達したかどうか(総充電時間ST1が所定の切換時間TC以上となったかどうか)を判断し(ステップ５)、この総充電時間ST1が所定の切換時間TCに達したと判断した場合には、マイコン31が充電制御ポート31aからスイッチング素子32へとＨレベル出力を間欠的に出力することにより、充電回路21が外部電源ｅによりパルス充電を行う(ステップ６)。また、ステップ５において、総充電時間ST1が所定の切換時間TCに達していないとマイコン31が判断した場合には、ステップ１に戻る。
【００３０】
一方、ステップ２において、バッテリＢが放電したとマイコン31が判断した場合には、マイコン31は、放電時間T2が所定の放電単位時間T2u(例えば１秒)に達したかどうか(放電時間T2が所定の放電単位時間T2u以上となったかどうか)を判断する(ステップ７)。そして、このステップ７において、放電時間T2が所定の放電単位時間T2uに達したとマイコン31が判断した場合には、このマイコン31は総放電時間ST2を放電単位時間T2u分積算し、放電時間T2をリセットする(ステップ８)。すなわち、総放電時間ST2は、放電単位時間T2u単位で積算される。また、ステップ７において、放電時間T2が所定の放電単位時間T2uに達していないとマイコン31が判断した場合には、ステップ１に戻る。そして、ステップ８の後、マイコン31は、総放電時間ST2が所定のリセット時間TR(例えば３０秒)に達したかどうか(総放電時間ST2が所定のリセット時間TR以上となったかどうか)を判断し(ステップ９)、この総放電時間ST2が所定のリセット時間TRに達したと判断した場合には、充電時間T1および総充電時間ST1をリセットし(ステップ10)、ステップ１に戻る。また、ステップ９において、総放電時間ST2が所定のリセット時間TRに達していないとマイコン31が判断した場合には、そのままステップ１に戻る。
【００３１】
したがって、例えば図３(a)に示すように、トリクル充電中にバッテリＢが所定のリセット時間TR(例えば３０秒)以上の所定時間に亘って連続して放電したときには、充電時間T1及び総充電時間ST1をリセットする。また、図３(b)に示すように、トリクル充電中のバッテリＢの放電時間が短く、それぞれ所定のリセット時間TR未満(例えば１５秒ずつ)であったとしても、これら放電時間T2を積算した総放電時間ST2が、総充電時間ST1が所定の切換時間TC(例えば４８時間)に達する前に所定のリセット時間TRに達したときには、充電時間T1及び総充電時間ST1をリセットする。
【００３２】
また、バッテリＢを充電しているときに、着脱判別回路24は、バッテリＢの非常灯ユニット14(充電回路21)に対する装着と非装着とを監視している。まず、着脱判別回路24のマイコン31は、バッテリＢをトリクル充電しているかパルス充電をしているかを判断する(ステップ11)。このステップ11において、トリクル充電をしているとマイコン31が判断した場合には、このマイコン31は、電流監視ポート31bにより取得した電流検出回路35からの出力に基づき、充電電流が流れているかどうかを判断する(ステップ12)。すなわち、トリクル充電モード時には、着脱判別回路24は、電流検出回路35により充電電流を検出することによってバッテリＢの装着と非装着とを判断する。そして、このステップ12において、充電電流が流れているとマイコン31が判断した場合には、バッテリＢが装着されているものと判断(確定)し、ステップ11に戻る。また、このステップ12において、充電電流が流れていないとマイコン31が判断した場合には、このマイコン31は、バッテリＢが外れている(バッテリＢが非装着である)ことを確定し(ステップ13)、後述するステップ21へ進む。
【００３３】
一方、ステップ11において、バッテリＢをパルス充電しているとマイコン31が判断した場合には、このマイコン31は、電圧監視ポート31cにより取得した電圧検出回路36からの出力に基づき、バッテリＢの電圧が検出できるかどうかを判断する(ステップ14)。すなわち、パルス充電モード時には、着脱判別回路24は、電圧検出回路36によりバッテリＢの電圧を検出することによってバッテリＢの装着と非装着とを判断する。このステップ14において、バッテリＢの電圧が検出できるとマイコン31が判断した場合には、このマイコン31は、バッテリＢが装着されているものと判断(確定)し、ステップ11に戻る。
【００３４】
また、ステップ14において、バッテリＢの電圧が検出できないとマイコン31が判断した場合には、このマイコン31は、バッテリＢが外れている(バッテリＢが非装着である)ものと１次判断し(ステップ15)、マイコン31は、例えば充電制御ポート31aから間欠的にＨレベル出力してスイッチング素子32を間欠的にオンさせ、充電回路21が外部電源ｅによりパルス充電と同じ動作を行う(ステップ16)。すなわち、充電回路21は、着脱判別回路24がバッテリＢのパルス充電時にバッテリＢが非装着であると１次判断すると、バッテリＢをパルス充電する制御と同様の制御を瞬時に行う。このとき、充電電流のパルスは所定の複数回、例えば３回程度出力するものとする。そして、マイコン31は、電流監視ポート31bにより取得した電流検出回路35からの出力に基づき、充電電流が流れているかどうかを判断する(ステップ17)。すなわち、このステップ15により、着脱判別回路24は、ステップ14でのバッテリＢの装着と非装着との１次判断を、電流検出回路35により充電電流を検出することによってさらに判断する、２次判断(再確認)を行う。
【００３５】
さらに、ステップ17において、充電電流が流れているとマイコン31が判断した場合には、このマイコン31は、バッテリＢが装着されているものと判断(確定)、換言すれば、ステップ14及びステップ15での１次判断が誤っていたものと判断し、充電時間T1及び総充電時間ST1をリセットして、充電モードをトリクル充電モードに切り換え、充電を最初からやり直す(ステップ18)。なお、ステップ17において、充電電流が流れているとマイコン31が判断した場合には、バッテリＢの誤接続、あるいはバッテリＢの寿命なども考えられるので、図示しないモニタなどを点灯させてユーザに報知してもよい。
【００３６】
また、ステップ17において、充電電流が流れていないとマイコン31が判断した場合には、このマイコン31は、バッテリＢが外れている(非装着である)ことを確定し(ステップ19)、充電制御ポート31aからＨレベル出力してスイッチング素子32をオンした状態を維持することで、電流検出回路35をオンし(ステップ20)、電流監視ポート31bにより取得した電流検出回路35からの出力に基づき、充電電流が流れているかどうかによってバッテリＢが再装着されたかどうかを判断する(ステップ21)。すなわち、バッテリＢが非装着であることを確定したときには、着脱判別回路24は、電流検出回路35により充電電流を検出することによってバッテリＢの再装着を判断する。
【００３７】
このステップ21において、充電電流が流れていないとマイコン31が判断したときには、バッテリＢが再装着されていないものと判断してステップ21に戻り、充電電流が流れているとマイコン31が判断したときには、バッテリＢが再装着されたものと判断し、充電時間T1及び総充電時間ST1をリセットして、充電モードをトリクル充電モードに切り換え、充電を最初からやり直す(ステップ22)。換言すれば、バッテリＢは、一旦取り外したとき、その直前の充電モードに拘らず、再装着すれば必ずトリクル充電から充電を開始する。
【００３８】
また、外部電源ｅの停電時、すなわち電源監視回路によって外部電源ｅの停電を検出したときには、ＬＥＤ光源12に対してＬＥＤ電源ユニットから非常時点灯回路23(非常灯ユニット14)へと接続が切り変わる。そして、バッテリＢが非常時点灯回路23及び点灯制御回路に電源を供給し、点灯制御回路により動作制御された非常時点灯回路23によりＬＥＤ光源12(ＬＥＤ16)に定電流を供給して、このＬＥＤ光源12(ＬＥＤ16)を所定の光束で点灯させる(非常点灯)。
【００３９】
以上説明した一実施形態によれば、着脱判別回路24は、充電回路21がバッテリＢをトリクル充電しているときには電流を電流検出回路35によって検出することによりバッテリＢの装着と非装着とを判断し、充電回路21がバッテリＢをパルス充電しているときにはバッテリＢの電圧を電圧検出回路36によって検出することによりバッテリＢの装着と非装着とを判断する。このため、トリクル充電をしているときには、充電電流によってバッテリＢの装着と非装着とを確実に判別できるとともに、パルス充電に切り換わったときでも、このパルス充電の充電停止期間であってもバッテリＢの装着と非装着とを確実に判別できる。したがって、バッテリＢの装着と非装着とをより確実に判別できる。
【００４０】
すなわち、バッテリＢに対して、トリクル充電を行い、さらにバッテリＢの負荷を軽減するためにパルス充電に切り換える充電制御を行う非常用点灯装置11においても、バッテリＢの装着と非装着とを充電モードに拘らず確実に検出できる。このため、パルス充電によってバッテリＢの負荷を低減でき、バッテリＢの寿命を伸ばすことができる。
【００４１】
また、バッテリＢをパルス充電しているときにバッテリＢが非装着であると着脱判別回路24が１次判断すると、充電回路21が外部電源ｅによりバッテリＢをパルス充電する制御と同じ動作をし、この動作のときに着脱判別回路24が電流検出回路35によって充電電流を検出することによりバッテリＢの装着と非装着とをさらに２次判断する、換言すれば、バッテリＢの電圧をトリガとしてスイッチング素子32がオンされて電流検出回路35により充電電流を検出することでバッテリＢの装着と非装着とをさらに２次判断することで、バッテリＢの電圧と充電電流との２段階でのバッテリＢの装着と非装着との判断が可能になる。
【００４２】
そして、充電回路21がバッテリＢをパルス充電しているときにバッテリＢが非装着であると１次判断した後、電流検出回路35によって充電電流を検出することによりバッテリＢが非装着であるとさらに２次判断したときに、着脱判別回路24が、バッテリＢが非装着であることを確定することで、バッテリＢの装着と非装着とをより正確に、かつ、瞬時に判断できる。
【００４３】
しかも、充電電流によってバッテリＢの装着と非装着とを２次判断する際に、充電回路21はバッテリＢをパルス充電と同じ動作をすることにより、他の充電制御と同じ動作をする場合と比較して省電力化できる。
【００４４】
また、バッテリＢが非装着であることを確定した後、電流検出回路35を有効化して充電電流を検出することにより着脱判別回路24がバッテリＢの再装着を判断することで、温度などに基づく電圧変動の影響などを受けにくく、バッテリＢの再装着をより正確に判断できる。
【００４５】
さらに、充電回路21は、バッテリＢが再装着されたと着脱判別回路24により判断したときに外部電源ｅによりバッテリＢをトリクル充電することで、バッテリＢが自己放電したときでも充電をトリクル充電から再開するので、より確実な充電制御が可能になる。
【００４６】
なお、上記一実施形態において、充電回路21がバッテリＢをパルス充電しているときには、着脱判別回路24は、電流検出回路35により検出した充電電流と、電圧検出回路36により検出したバッテリＢの電圧との双方によってバッテリＢの装着と非装着とを監視してもよい。
【００４７】
そして、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４８】
11    非常用点灯装置
12    光源としてのＬＥＤ光源
21    充電回路
23    非常時点灯回路
24    着脱判別回路
Ｂ    バックアップ電源であるバッテリ
ｅ    外部電源
【図１】
0006008094.tif 000002
【図２】
0006008094.tif 000003
【図３】
0006008094.tif 000004
【図４】
0006008094.tif 000005